(57)【要約】【課題】不吐出ノズルの補完を行うことができるライン型の記録ヘッドを備えるインクジェット記録装置を提供する。【解決手段】記録媒体に向けてインクを吐出するノズルを備える複数の記録ヘッドＨ１〜Ｈ４と、記録ヘッドＨ１〜Ｈ４を搭載するキャリッジ５と、キャリッジ５を前記記録媒体の幅方向に移動させる移動手段７と、前記記録媒体を搬送させる搬送手段２と、ノズル１０…のインク不吐出を検出する不吐出検出機構１１と、不吐出検出機構１１の検出結果に基づいて記録ヘッドＨ１〜Ｈ４が前記記録媒体の幅方向に沿って配置されて長尺ラインヘッド６を形成するように移動手段７を制御する制御部１２，１７，２０と、を備えることを特徴とする。【選択図】図２
2006192611.tif 000002
【特許請求の範囲】
【請求項１】
記録媒体に向けてインクを吐出するノズルを備える複数の記録ヘッドと、
前記記録ヘッドを前記記録媒体の幅方向に移動させる移動手段と、
前記記録媒体を搬送させる搬送手段と、
前記ノズルのインク不吐出を検出する不吐出検出機構と、
前記不吐出検出機構の検出結果に基づいて前記記録ヘッドを配置させるように前記移動手段を制御する制御部と、
を備えることを特徴とするインクジェット記録装置。
【請求項２】
前記制御部は、前記不吐出検出機構が前記ノズルのインク不吐出を検出した際には、不吐出ノズルを備える記録ヘッドによるインク吐出を停止させるように前記記録ヘッドを制御し、インク吐出を停止させた記録ヘッドの位置に他の記録ヘッドを配置させるように前記移動手段を制御することを特徴とする請求項１に記載のインクジェット記録装置。
【請求項３】
前記制御部は、不吐出ノズルを含む未使用ノズル群を算出する算出手段を備えており、
前記不吐出検出機構が不吐出ノズルを検出した際には、前記算出手段に未使用ノズル群を算出させ、前記未使用ノズル群からのインクの吐出を停止させるように前記記録ヘッドを制御するとともに、前記未使用ノズル群に重なるように他の記録ヘッドを配置させるように前記移動手段を制御することを特徴とする請求項１に記載のインクジェット記録装置。
【請求項４】
前記制御部は、入力された画像情報を解析し、当該解析結果に基づいて各ノズルに振分けられる画像情報量を算出する解析手段を備えており、
前記不吐出検出機構が前記ノズルのインク不吐出を検出した際には、前記解析手段による算出結果に基づいて、不吐出ノズルが画像情報のより少ない位置に配置されるように前記記録ヘッドを移動させるように前記移動手段を制御することを特徴とする請求項１に記載のインクジェット記録装置。
【発明の詳細な説明】
【技術分野】
【０００１】
本発明は、インクジェット記録装置に係り、特にライン型の記録ヘッドを有するインクジェット記録装置に関する。
【背景技術】
【０００２】
従来より、記録媒体の幅方向に沿って長尺化されたライン型の記録ヘッドを備えるインクジェット記録装置が知られている。このようなインクジェット記録装置において、記録ヘッドのノズルに目詰まりが発生した場合、記録媒体の搬送方向に沿ってスジ状の記録ムラができてしまい画像が劣化してしまうという問題があった。
【０００３】
そこで、このような画像劣化を防止するために、不吐出ノズル補完用に記録ヘッドを余分に備えるインクジェット記録装置が知られている（特許文献１、特許文献２参照）。また、不吐出ノズルを検知した場合、不吐出ノズルの直下を記録媒体が搬送されないように、記録ヘッドの延在する方向に記録媒体の搬送位置をずらすように制御するインクジェット記録装置も知られている（特許文献３参照）。さらに、不吐出ノズルに送られる画像データを不吐出ノズルの隣のノズルにデータシフトさせて、前記ノズルから記録させるというインクジェット記録装置も知られている（特許文献４参照）。
【特許文献１】特開平１１−３３４０４７号公報
【特許文献２】特開２０００−２５５０６７号公報
【特許文献３】特開２０００−３３４９３５号公報
【特許文献４】特開２００２−２４８８００号公報
【特許文献５】特開２００３−１２７３５２号公報
【発明の開示】
【発明が解決しようとする課題】
【０００４】
しかしながら、ライン型の記録ヘッドは高価であり、特許文献１又は特許文献２に記載のインクジェット記録装置においては、不吐出ノズル補完用に記録ヘッドを余分に備える必要があるため、装置のコストアップにつながっていた。また、不吐出ノズルと略同列のノズルが不吐出となってしまった場合、補完ができないという問題があった。
【０００５】
また、ライン型の記録ヘッドの場合、記録ヘッドに対向する領域において記録媒体の占める割合が高いほど、記録効率の高いインクジェット記録装置ということになるが、特許文献３に記載のインクジェット記録装置の場合、記録媒体の搬送位置をずらして画像記録を行うので、記録効率が低くなってしまうという問題があった。
【０００６】
さらに、特許文献４に示すように、不吐出ノズルに送られる画像データを他のノズルにデータシフトさせて画像記録を行う場合、データシフトされた先のノズルに送られて記録されるはずだった画像データの記録ができないという問題があった。
【０００７】
ところで、ライン型の記録ヘッドを有するインクジェット記録装置においては、種々の幅寸法の記録媒体に対応するために長尺化された記録ヘッドが必要であるが、長尺化された記録ヘッドにおいては製造加工上の問題からノズルの高密度化が困難であり、また、記録ヘッドの撓みの発生があるため高画質化が困難であった。
【０００８】
そこで、特許文献５に示すように、複数の記録ヘッドを記録媒体の幅方向に沿って並べることにより一つの長尺ラインヘッドを形成するインクジェット記録装置がある。このような構成にすることで、画像記録を行う記録媒体の幅と所望する画質との兼合いにより、複数の記録ヘッドの重なり合いを変えて長尺ラインヘッドの長さ寸法と長尺ラインヘッドにおけるノズル間隔を調整することができるようになっている。
【０００９】
本発明はこのような点に鑑みてなされたものであり、複数の短尺化された記録ヘッドを用いて一つの長尺ラインヘッドを形成するインクジェット記録装置において、不吐出ノズルを補完して画像記録を行うことを目的とするものである。
【課題を解決するための手段】
【００１０】
前記課題を解決するために、請求項１に記載の発明は、インクジェット記録装置において、
記録媒体に向けてインクを吐出するノズルを備える複数の記録ヘッドと、
前記記録ヘッドを前記記録媒体の幅方向に移動させる移動手段と、
前記記録媒体を搬送させる搬送手段と、
前記ノズルのインク不吐出を検出する不吐出検出機構と、
前記不吐出検出機構の検出結果に基づいて前記記録ヘッドを配置させるように前記移動手段を制御する制御部と、
を備えることを特徴とする。
【００１１】
請求項１に記載の発明によれば、制御部は、不吐出検出機構の検出結果に基づいて複数の記録ヘッドを記録媒体の幅方向（以下、「主走査方向」とする）に沿って配置させて長尺ラインヘッドを形成させるように移動手段を制御している。従って、不吐出ノズルの有無に応じて前記記録ヘッドを配置させることができる。
【００１２】
請求項２に記載の発明は、請求項１に記載のインクジェット記録装置において、
前記制御部は、前記不吐出検出機構が前記ノズルのインク不吐出を検出した際には、不吐出ノズルを備える記録ヘッドによるインク吐出を停止させるように前記記録ヘッドを制御し、記録ヘッドの位置に他の記録ヘッドを配置させるように前記移動手段を制御することを特徴とする。
【００１３】
請求項２に記載の発明によれば、制御部は、不吐出検出機構がノズルのインク不吐出を検出すると、不吐出ノズルを備える記録ヘッドによるインク吐出を停止させ、前記記録ヘッドの位置に他の記録ヘッドを配置させて、長尺ラインヘッドを形成させる。
【００１４】
請求項３に記載の発明は、請求項１に記載のインクジェット記録装置において、
前記制御部は、不吐出ノズルを含む未使用ノズル群を算出する算出手段を備えており、
前記不吐出検出機構が不吐出ノズルを検出した際には、前記算出手段に未使用ノズル群を算出させ、前記未使用ノズル群からのインクの吐出を停止させるように前記記録ヘッドを制御するとともに、前記未使用ノズル群に重なるように他の記録ヘッドを配置させるように前記移動手段を制御することを特徴とする。
【００１５】
請求項３に記載の発明によれば、制御部は、不吐出検出機構が不吐出ノズルを検出すると、算出手段により不吐出ノズルを含む未使用ノズル群を算出させている。そして、未使用ノズル群からのインク吐出を停止させ、未使用ノズル群に重なるように他の記録ヘッドを配置させて長尺ラインヘッドを形成させる。
ここで、未使用ノズル群とは、記録ヘッドにおいて不吐出ノズルを一端とするノズル群のことをいい、その他端は前記記録ヘッドに備えられているノズル群の末端のノズルであるとともにより不吐出ノズルに近い方のノズルである。
【００１６】
請求項４に記載の発明は、請求項１に記載のインクジェット記録装置において、
前記制御部は、入力された画像情報を解析し、当該解析結果に基づいて各ノズルに振分けられる画像情報量を算出する解析手段を備えており、
前記不吐出検出機構が前記ノズルのインク不吐出を検出した際には、前記解析手段による算出結果に基づいて、不吐出ノズルが画像情報のより少ない位置に配置されるように前記記録ヘッドを移動させるように前記移動手段を制御することを特徴とする。
【００１７】
請求項４に記載の発明によれば、解析手段は入力された画像情報を解析し、各ノズルに振分けられる画像情報量を算出する。制御部は、不吐出検出機構がノズルのインク不吐出を検出すると、不吐出ノズルが画像情報のより少ない位置に配置されるように記録ヘッドを移動させて長尺ラインヘッドを形成させる。従って、不吐出ノズルに振分けられる画像情報量が少なくなる。
【発明の効果】
【００１８】
請求項１に記載の発明によれば、不吐出ノズルの有無に応じて前記記録ヘッドを配置させることができるので、簡易な構成で不吐出ノズルを補完して画像記録を行うことができる。
【００１９】
請求項２に記載の発明によれば、不吐出ノズルが発生した場合でも、その不吐出ノズルを備える記録ヘッドを除いた長尺ラインヘッドが形成されるので、不吐出ノズルを容易に補完して画像記録を行うことができる。
【００２０】
請求項３に記載の発明によれば、不吐出ノズルが発生した場合でも、その不吐出ノズルを含む未使用ノズル群を除いた長尺ラインヘッドが形成されるので、長尺ラインヘッドの長さ寸法を顕著に損なうことなく不吐出ノズルを補完して画像記録を行うことができる。
【００２１】
請求項４に記載の発明によれば、不吐出ノズルが発生した場合でも、不吐出ノズルに振分けられる画像情報量の少ない長尺ラインヘッドが形成されるので、長尺ラインヘッドの長さ寸法を損なうことなく簡易な構成で不吐出ノズルを補完して画像記録を行うことができる。
【発明を実施するための最良の形態】
【００２２】
以下に、本発明にかかるインクジェット記録装置について、図面を参照して説明する。ただし、発明の範囲を図示例に限定するものではない。
【００２３】
［第一の実施形態］
図１は非画像記録時におけるインクジェット記録装置１の要部構成を示す図であり、図２は画像記録時におけるインクジェット記録装置１の要部構成を示す図である。
【００２４】
図１に示すように、記録媒体に対向しかつ搬送方向上流側の位置には、記録媒体を搬送させる搬送手段２が備えられている。搬送手段２には、モータなどの駆動源からなる搬送モータ３と、搬送モータ３により回転駆動されて記録媒体を所定の搬送方向に搬送する搬送ローラ４と、が備えられている。
【００２５】
また、記録媒体に対向しかつ搬送手段２より下流側の位置には、後述する記録ヘッドを主走査方向に移動させる移動手段７が備えられている。移動手段７には、主走査方向に延在する複数の回転軸９…が回転自在に備えられている。また、移動手段７には、回転軸９を回転駆動させる駆動部８…がそれぞれの回転軸９の末端に接続するように備えられている。さらに、移動手段７には、回転軸９を挿通されかつその回転に伴って主走査方向に移動されるキャリッジ５…が記録媒体に対向するように備えられている。
【００２６】
各キャリッジ５には、入力された画像情報に基づいてインクを吐出させる記録ヘッドＨ１，Ｈ２，Ｈ３，Ｈ４が搭載されている。記録ヘッドＨ１〜Ｈ４の記録媒体に対向する面には、記録媒体に向けてインク液滴を吐出する複数のノズル１０…が、それぞれ所定間隔ｐをあけて主走査方向に沿って連続するように形成されている。
【００２７】
図２及び図３に示すように、移動手段７は、駆動部８により回転軸９を回転駆動させてキャリッジ５を主走査方向に移動させることにより、記録ヘッドＨ１〜Ｈ４をそれぞれの末端のノズル１０同士の間隔がｐとなるように主走査方向に沿って配置させて一つの長尺ラインヘッド６を形成させるようになっている。
【００２８】
記録媒体の側方であって記録ヘッドＨ１〜Ｈ４に対向する位置には、記録ヘッドＨ１〜Ｈ４と記録媒体との間に光などを透過させて、インク液滴による反射の有無を検知してノズル１０のインク不吐出を検出する不吐出検出機構１１が備えられている。
【００２９】
図４はインクジェット記録装置１の制御構成を示すブロック図である。図４に示すように、インクジェット記録装置１には、搬送手段２、記録ヘッドＨ１〜Ｈ４、移動手段７、不吐出検出機構１１などに電気的に接続されるとともにこれらを制御する制御部１２が設けられている。制御部１２は、ＣＰＵ、ＲＯＭ、ＲＡＭなど（いずれも図示省略）からなり、ＲＯＭに記録された処理プログラムをＲＡＭに展開してＣＰＵによりこの処理プログラムを実行するものである。
【００３０】
制御部１２は、ノズル１０に目詰まりが発生していない場合、移動手段７によりキャリッジ５とともに記録ヘッドＨ１〜Ｈ４を移動させて、長尺ラインヘッド６を形成させるようになっている。図３はこの場合の長尺ラインヘッド６を記録媒体側から見た図であり、各記録ヘッドＨ１〜Ｈ４は、それぞれの末端のノズル１０同士の間隔がｐとなるようにかつ主走査方向に沿って順に配置されている。
【００３１】
制御部１２は、長尺ラインヘッド６を形成させてから、画像記録を開始させるようになっている。画像記録の際には、制御部１２は、搬送手段２により記録媒体を搬送方向に搬送させつつ、入力された画像情報に基づいて記録ヘッドＨ１〜Ｈ４のノズル１０からインクを吐出させている。
【００３２】
制御部１２は、不吐出検出機構１１によりノズル１０のインク不吐出を適宜検出させるようになっている。不吐出ノズル１３が検出された場合（図５参照）、制御部１２は、不吐出ノズル１３を備える記録ヘッドＨ２からのインク吐出を停止させるようになっている。さらに、図６に示すように、制御部１２は移動手段７により、記録ヘッドＨ２の主走査方向に関する位置を長尺ラインヘッド６の末端側に移動させるとともに、長尺ラインヘッド６の末端側の記録ヘッドＨ１の位置を記録ヘッドＨ２が配置されていた位置に移動させるようになっている。
【００３３】
なお、本実施形態においては、図面上の主走査方向右側を基準位置として、記録媒体を設置するようになっているが、基準位置は前記位置に限られない。その場合、不吐出ノズル１３が発生した場合の記録ヘッドＨ１〜Ｈ４の移動方向は、基準位置に対応して長尺ラインヘッド６を形成させる方向であればよい。ここで、基準位置とは、記録媒体を設置する際に基準にする位置のことであり、基準位置に対応して記録ヘッドＨ１〜Ｈ４を配置させて長尺ラインヘッド６を形成することで、記録媒体への画像記録効率を向上させることができる。
【００３４】
次に、インクジェット記録装置１による作用について説明する。
【００３５】
まず、制御部１２は画像記録を開始させる前に記録ヘッドＨ１〜Ｈ４を所定位置に配置させて長尺ラインヘッド６を形成させる。
【００３６】
図３に示すように、不吐出検出機構１１により不吐出ノズル１３が検出されていない場合、駆動部８により回転軸９を回転駆動させてキャリッジ５を主走査方向に移動させる。キャリッジ５の移動に追従して記録ヘッドＨ１〜Ｈ４を主走査方向に移動させ、記録ヘッドＨ１〜Ｈ４を主走査方向に沿って順に配置させることで長尺ラインヘッド６を形成させる。この際、各記録ヘッドＨ１〜Ｈ４を、末端のノズル１０同士の間隔がｐになるように配置させるので、主走査方向に沿って全てのノズル１０が等間隔に並んだ長尺ラインヘッド６を形成させる。
【００３７】
一方、図５に示すように、不吐出検出機構１１により不吐出ノズル１３が検出された場合、制御部１２は、不吐出ノズル１３を備える記録ヘッドＨ２からのインクの吐出を停止させる。続いて、図６に示すように、移動手段７により記録ヘッドＨ２を基準位置から離れた方向に移動させる。同様に、隣の記録ヘッドＨ１を基準位置側に移動させて、記録ヘッドＨ２を配置させていた位置に移動させる。その結果、記録ヘッドＨ１，Ｈ３，Ｈ４を主走査方向に沿って順に配置させて、長尺ラインヘッド６を形成させる。この際も、記録ヘッドＨ１，Ｈ３，Ｈ４を、それぞれの末端ノズル同士の間隔がｐとなるように配置させるので、全てのノズル１０が主走査方向に沿って等間隔に並んだ長尺ラインヘッド６を形成させる。
【００３８】
長尺ラインヘッド６を形成させると、制御部１２は入力された画像情報の記録を開始させる。画像記録の際には、搬送手段２により記録媒体を搬送させる。また、不吐出ノズル１３が発生していない場合には記録ヘッドＨ１〜Ｈ４により、不吐出ノズル１３が発生している場合には記録ヘッドＨ１，Ｈ３，Ｈ４により、インクを記録媒体に吐出させて画像を記録させる。
【００３９】
このようにして、不吐出ノズル１３が発生した場合においても、複数の記録ヘッドＨ１，Ｈ３，Ｈ４を用いて、ノズル１０が等間隔に並ぶ長尺ラインヘッド６を形成させてスジムラのない画像を記録させることが可能である。従って、複数の短尺化された記録ヘッドＨ１〜Ｈ４を用いて長尺ラインヘッド６を形成するインクジェット記録装置において、不吐出ノズル１３を補完させて画像記録を行わせることが容易にできる。
【００４０】
［第二の実施形態］
次に、本発明にかかる第二の実施形態について説明する。図７は、本実施形態におけるインクジェット記録装置１５の制御構成を示すブロック図である。インクジェット記録装置１５は、第一の実施形態におけるインクジェット記録装置１と略同様の構成からなり、不吐出ノズル１３の位置により未使用ノズル群１４を算出する算出手段１６が制御部１７に備えられている点が異なっている。以下、この異なる点について記載する。
【００４１】
制御部１７には、不吐出ノズル１３が発生した記録ヘッドＨ２における未使用ノズル群１４を算出する算出手段１６が備えられている。算出手段１６は、記録ヘッドＨ２における不吐出ノズル１３の位置を判断すると、不吐出ノズル１３から記録ヘッドＨ２の両末端ノズルまでのノズル１０の数をそれぞれ算出し、その数がより少ないほうのノズル群を未使用ノズル群１４とするようになっている。ここで、図５に示すように、本実施形態においては、不吐出ノズル１３は記録ヘッドＨ２において図面上主走査方向左側から４番目のノズルなので、算出手段１６は記録ヘッドＨ２の図面上主走査方向左側から四つのノズル群を未使用ノズル群１４とするようになっている。
【００４２】
制御部１７は、算出手段１６による算出結果に基づいて、未使用ノズル群１４からのインクの吐出を停止させるようになっている。また、図８に示すように、制御部１７は、記録ヘッドＨ１を基準位置側に移動させて、記録ヘッドＨ１のノズル１０を未使用ノズル群１４に重ねさせるようになっている。この際、移動手段７は未使用ノズル群１４の幅だけ記録ヘッドＨ１を移動させるようになっている。本実施形態においては、未使用ノズル群１４は四つのノズルからなるので、記録ヘッドＨ１をノズル間隔ｐの４倍の距離だけ基準位置側に移動させるようになっている。
【００４３】
次に、インクジェット記録装置１５による作用について説明する。
【００４４】
第一の実施形態と同様に、まず、制御部１７は画像記録を開始させる前に記録ヘッドＨ１〜Ｈ４を所定位置に配置させて長尺ラインヘッド６を形成させる。不吐出ノズル１３が発生していない場合の長尺ラインヘッド６を形成させる過程は第一の実施形態と略同様であり、不吐出ノズル１３が発生した場合の長尺ラインヘッド６を形成させる過程について以下記載する。
【００４５】
不吐出検出機構１１により不吐出ノズル１３が検出された場合、制御部１７は算出手段１６により、不吐出ノズル１３の発生した記録ヘッドＨ２における未使用ノズル群１４の算出を開始させる。
【００４６】
算出手段１６により、記録ヘッドＨ２における不吐出ノズル１３の位置を検出させると、不吐出ノズル１３から記録ヘッドＨ２の両末端ノズルまでのノズル１０の数をそれぞれ算出させる。続いて、算出手段６は、算出した二つのノズル群のうち、よりノズル１０の数が少ないほうのノズル群を未使用ノズル群１４とする。
【００４７】
未使用ノズル群１４が算出されると、制御部１７は、未使用ノズル群１４からのインクの吐出を停止させる。そして、移動手段７により記録ヘッドＨ１を未使用ノズル群１４の幅だけ基準位置側に移動させる。この際、記録ヘッドＨ１の移動量は、未使用ノズル群１４のノズルの数にノズル間隔ｐを掛けた量で表されるので、記録ヘッドＨ１をノズル間隔ｐの４倍の距離だけ移動させて長尺ラインヘッド６を形成させる。長尺ラインヘッド６を形成させると、第一の実施形態と同様にして制御部１７は入力された画像情報の記録を開始させる。
【００４８】
このようにして、不吐出ノズル１３が発生した場合においても、記録ヘッドＨ１〜Ｈ４を用いて未使用ノズル群１４を除いた長尺ラインヘッド６を形成させてスジムラのない画像を記録させることができる。従って、複数の短尺化された記録ヘッドＨ１〜Ｈ４を用いて長尺ラインヘッド６を形成するインクジェット記録装置において、記録効率を大幅に低下させること無く不吐出ノズル１３を補完させて画像記録を行わせることができる。
【００４９】
［第三の実施形態］
次に、本発明にかかる第三の実施形態について説明する。図９は、本実施形態におけるインクジェット記録装置１８の制御構成を示すブロック図である。インクジェット記録装置１８は、第一の実施形態におけるインクジェット記録装置１と略同様の構成からなり、記録する画像情報（図１０参照）を解析する解析手段１９が制御部２０に備えられている点が異なっている。以下、この異なる点について記載する。
【００５０】
インクジェット記録装置１８の制御部２０には、入力された画像情報を解析し、その解析結果に基づいて各ノズル１０に振分けられる画像情報量を算出する解析手段１９が備えられている。制御部２０は、不吐出検出機構１１が不吐出ノズル１３を検出した場合、他の記録ヘッドＨ１，Ｈ３，Ｈ４において不吐出ノズル１３の位置に対応するノズル１０に振分けられる画像情報量と、不吐出ノズル１３に振分けられる画像情報量とを比較するようになっている。また、制御部２０は、不吐出ノズル１３よりも画像情報量が少ないノズル１０を検出すると、そのノズル１０を備える記録ヘッドＨ１の位置を不吐出ノズル１３を備える記録ヘッドＨ２の位置と交換させるようになっている。
【００５１】
ここで、本実施形態においては、不吐出ノズル１３の補完を行わずに画像記録を行った場合、図１１に示されるようなスジムラのある画像を記録することになる。しかしながら、この際の記録ヘッドＨ１において不吐出ノズル１３に対応するノズル１０に振分けられる画像情報量はゼロであり、前記ノズル１０からはインクが吐出されない。そこで、図１２に示すように、制御部２０は移動手段７により、記録ヘッドＨ２と記録ヘッドＨ１との位置と交換させて長尺ラインヘッド６を形成させることで、不吐出ノズル１３に振分けられる画像情報量をゼロにさせるようになっている。
【００５２】
次に、インクジェット記録装置１８による作用について説明する。
【００５３】
第一の実施形態と同様に、まず、制御部２０は画像記録を開始させる前に記録ヘッドＨ１〜Ｈ４を所定位置に配置させて長尺ラインヘッド６を形成させる。不吐出ノズル１３が発生していない場合の長尺ラインヘッド６を形成させる過程は第一の実施形態と略同様であるが、不吐出ノズル１３が発生した場合の長尺ラインヘッド６を形成させる過程については以下記載する。
【００５４】
まず、解析手段１９により、図１０に示すような、入力された画像情報を解析し、各ノズル１０ごとの画像情報量を算出させる。そして、不吐出検出機構１１により不吐出ノズル１３が検出されると、解析手段１９により、他の記録ヘッドＨ１，Ｈ３，Ｈ４において不吐出ノズル１３の位置に対応するノズル１０に振分けられる画像情報量と、不吐出ノズル１３に振分けられる画像情報量とを比較させる。そして、不吐出ノズル１３に振分けられる画像情報量より少ない画像情報量のノズル１０を検出すると、前記ノズル１０を備える記録ヘッドＨ１と記録ヘッドＨ２とを移動手段７により移動させてその配置を交換させて長尺ラインヘッド６を形成させる。長尺ラインヘッド６を形成させると、第一の実施形態と同様にして制御部２０は入力された画像情報の記録を開始させる。
【００５５】
このようにして、不吐出ノズル１３が発生した場合においても、記録ヘッドＨ１〜Ｈ４を用いて、ノズル１０からのインク吐出停止などの制御をすることなく不吐出ノズル１３に振分けられる画像情報量が少ない長尺ラインヘッド６を形成させることができる。従って、長尺ラインヘッド６が短尺化されて記録効率が下がるのを防止しつつ不吐出ノズル１３を補完させて画像記録を行わせることができる。
【図面の簡単な説明】
【００５６】
【図１】本発明にかかるインクジェット記録装置の要部構成を示す平面図である。
【図２】本発明にかかるインクジェット記録装置の画像記録時の平面図である。
【図３】本発明にかかるインクジェット記録装置における画像記録時の長尺ラインヘッドの底面図である。
【図４】第一の実施形態におけるインクジェット記録装置の制御構成を示すブロック図である。
【図５】本発明にかかるインクジェット記録装置における不吐出ノズル発生時の長尺ラインヘッドの底面図である。
【図６】第一の実施形態における不吐出ノズル補完後の長尺ラインヘッドの底面図である。
【図７】第二の実施形態におけるインクジェット記録装置の制御構成を示すブロック図である。
【図８】第二の実施形態における不吐出ノズル補完後の長尺ラインヘッドの底面図である。
【図９】第三の実施形態におけるインクジェット記録装置の制御構成を示すブロック図である。
【図１０】第三の実施形態において記録される画像を示す説明図である。
【図１１】第三の実施形態において不吐出ノズル発生時に記録される画像を示す説明図である。
【図１２】第三の実施形態における不吐出ノズル補完後に記録される画像を示す説明図である。
【符号の説明】
【００５７】
１，１５，１８インクジェット記録装置
２     搬送手段
５     キャリッジ
６     長尺ラインヘッド
７     移動手段
１０   ノズル
１１   不吐出検出機構
１２，１７，２０     制御部
１３   不吐出ノズル
１４   未使用ノズル群
１６   算出手段
１９   解析手段
Ｈ１，Ｈ２，Ｈ３，Ｈ４      記録ヘッド
ｐ     ノズル間隔
【図１】
2006192611.tif 000003
【図２】
2006192611.tif 000004
【図３】
2006192611.tif 000005
【図４】
2006192611.tif 000006
【図５】
2006192611.tif 000007
【図６】
2006192611.tif 000008
【図７】
2006192611.tif 000009
【図８】
2006192611.tif 000010
【図９】
2006192611.tif 000011
【図１０】
2006192611.tif 000012
【図１１】
2006192611.tif 000013
【図１２】
2006192611.tif 000014